(57)【要約】  ビル用ビーコンシステム１０は、複数のビルに設置され、固有のビーコンＩＤを含むビーコン信号を発信する複数のビーコン発信機１２、ビルの利用者が携帯する携帯端末１４、及びサーバ１６を含んで構成される。サーバ１６の記憶部６６内のビル情報ＤＢ７０には、各ビーコン発信機１２が発信するビーコンＩＤと、当該ビーコンＩＤを発信するビーコン発信機１２が設置されたビルに関するビル情報とが関連付けられて記憶される。携帯端末１４にインストールされたビーコンアプリケーション４２は、ビーコン発信機１２から受信したビーコンＩＤをサーバ１６へ送信する。サーバ１６は、ビル情報ＤＢ７０を参照し、受信したビーコンＩＤに対応するビル情報を特定し、特定したビル情報を携帯端末１４に送信する。
2018029831.tif 000002
【特許請求の範囲】
【請求項１】
ビルの利用者が携帯する携帯端末と、複数のビルに設置され固有の識別情報を所定範囲内に発信する複数のビーコン発信機と、サーバと、を含むビル用ビーコンシステムであって、
前記携帯端末は、
前記ビーコン発信機からの前記識別情報を受信する端末側受信部と、
前記ビーコン発信機から前記識別情報を受信したときに、当該識別情報を前記サーバへ送信する端末側送信部と、
表示部と、
を備え、
前記複数のビーコン発信機の少なくとも一部は、各ビルにおいて、ビルに入った前記利用者が携帯する前記携帯端末が前記識別情報を受信可能となる位置である入場検出可能位置に設置され、
前記サーバは、
前記複数のビーコン発信機が発信する各識別情報と、前記各識別情報を発信する前記ビーコン発信機が設置されたビルに関する情報であるビル情報とを関連付けて記憶するサーバ側記憶部と、
前記携帯端末から前記識別情報を受信した場合に、受信した前記識別情報に対応する前記ビル情報を前記携帯端末に送信するサーバ側送信部と、
を備え、
前記表示部は、前記サーバから受信した前記ビル情報を表示する、
ことを特徴とするビル用ビーコンシステム。
【請求項２】
前記複数のビーコン発信機の少なくとも一部は、各ビルにおいて、ビルの入口階のエレベーターホール近傍に設置される、
ことを特徴とする、請求項１に記載のビル用ビーコンシステム。
【請求項３】
前記ビル情報は、ビルに入居している入居者に関する入居者情報である、
ことを特徴とする、請求項１に記載のビル用ビーコンシステム。
【請求項４】
前記入居者情報は、前記入居者が入居する階を示す情報を含む、
ことを特徴とする、請求項３に記載のビル用ビーコンシステム。
【請求項５】
前記サーバ側記憶部は、前記各識別情報と、前記各識別情報を発信する前記ビーコン発信機が設置されたビルの種別を示すビル種別情報とを関連付けて記憶し、
前記サーバ側送信部は、前記携帯端末から前記識別情報を受信した場合に、前記識別情報に対応する前記ビル種別情報を前記携帯端末に送信し、
前記表示部は、前記サーバから受信した前記ビル種別情報に応じた表示態様において、前記サーバから受信した前記ビル情報を表示する、
ことを特徴とする、請求項１に記載のビル用ビーコンシステム。
【請求項６】
前記携帯端末は、
前記利用者に関する利用者情報を記憶する端末側記憶部、
をさらに備え、
前記端末側送信部は、前記利用者情報をさらに前記サーバへ送信し、
前記サーバ側送信部は、前記携帯端末から前記識別情報を受信した場合に、受信した前記識別情報に対応する前記入居者情報、及び、前記複数の入居者の中から受信した前記利用者情報に基づいて特定された特定入居者を示す情報を前記携帯端末に送信し、
前記表示部は、前記入居者情報のうち前記特定入居者に関する情報を強調表示する、
ことを特徴とする、請求項３に記載のビル用ビーコンシステム。
【請求項７】
前記複数のビーコン発信機は、少なくとも１つのビル内において複数の位置に設置され、
前記携帯端末は、
前記携帯端末を識別する端末ＩＤを記憶する端末側記憶部、
をさらに備え、
前記端末側送信部は、前記ビーコン発信機から前記識別情報を受信したときに、前記端末ＩＤをさらに前記サーバへ送信し、
前記サーバ側記憶部は、前記ビーコン発信機が発信する各識別情報と、各識別情報を発する前記ビーコン発信機の設置位置を示す設置位置情報を関連付けて記憶し、且つ、前記端末ＩＤ毎に区別された前記識別情報の受信履歴情報を記憶し、
前記サーバ側送信部は、前記携帯端末から前記識別情報及び前記端末ＩＤを受信した場合に、前記設置位置情報、及び、受信した端末ＩＤに対応する前記受信履歴情報に基づいて、当該ビル内における前記設置位置の中から特定された特定設置位置を示す情報を前記携帯端末に送信し、
前記表示部は、前記ビル情報のうち、前記特定設置位置に関する情報を強調表示する、
ことを特徴とする、請求項１に記載のビル用ビーコンシステム。
【請求項８】
前記サーバ側記憶部は、前記入場検出可能位置に設置された前記ビーコン発信機に対応する前記識別情報と、退ビル時情報とを関連付けて記憶し、
前記サーバ側送信部は、前記入場検出可能位置に設置された前記ビーコン発信機に対応する前記識別情報を受信した場合であって、前記携帯端末からの前記識別情報の受信履歴が所定の条件を満たした場合に、前記退ビル時情報を前記携帯端末に送信する、
ことを特徴とする請求項７に記載のビル用ビーコンシステム。
【発明の詳細な説明】
【技術分野】
【０００１】
本発明は、ビル用ビーコンシステムに関する。
【背景技術】
【０００２】
従来、商業施設などに設置された、固有の識別情報を所定範囲（発信範囲）内に発信し続けるビーコン発信機、利用者が携帯し、ビーコン用アプリケーションがインストールされた携帯端末、及びサーバを含んで構成されるビーコンシステムが知られている（例えば特許文献１及び２）。【０００３】
ビーコンシステムにおいては、利用者の携帯端末がビーコン発信機の発信範囲内に進入すると、当該ビーコン発信機からの識別信号を受信する。そして、携帯端末上で動作するビーコン用アプリケーションは、受信した識別信号をサーバへ送信する。サーバは、受信した識別信号に応じた情報を携帯端末に送信する。そして、ビーコン用アプリケーションは、サーバから送信された情報を表示する。【０００４】
このようなビーコンシステムによれば、利用者は、携帯端末に対して各種情報がプッシュ送信（利用者の操作をトリガとせずに送信）されるビーコンサービスを受けることができる。例えばビーコン発信機が設置された店舗に携帯端末を携帯した利用者が近付いた場合、利用者としては特段の操作を必要とせず、当該店舗のクーポン券などを受信することができる。【０００５】
また、特許文献３には、ビルの各階において、利用者が携帯する携帯端末を検出するためのノードを設置し、各ノードにおける携帯端末の検出結果に基づいて、ビル内における利用者の位置を把握し、利用者の位置に応じた情報を携帯端末に送信するシステムが開示されている。
【先行技術文献】
【特許文献】
【０００６】
【特許文献１】特開２０１６−３８７６３号公報
【特許文献２】特開２０１５−８４５２７号公報
【特許文献３】特表２００３−５３１７９２号公報
【発明の概要】
【発明が解決しようとする課題】
【０００７】
複数のビルに対してビーコンシステムを適用することによって、ビルの利用者にとっての利便性を向上させることができる。例えば、ビルに入場した携帯端末に対して当該ビルの情報（例えばビル内のテナント情報など）を送信することで、ビルの利用者は目的の階を容易に把握できるようになる。【０００８】
一方、従来のビーコンシステムは、例えば企業毎にそれぞれ別個に構築されている。したがって、利用者は、各企業が提供する複数のビーコンサービスを受けるためには、企業毎にそれぞれ異なる複数のビーコン用アプリケーションを携帯端末にインストールする必要がある。【０００９】
複数のビルに対してビーコンシステムを適用する場合においては、各ビルに応じた異なるビーコン用アプリケーションを携帯端末にインストールする必要なく、各ビルにおいてビーコンサービスを受けられるようにすることが望まれる。【００１０】
本発明の目的は、利用者が複数のビーコン用アプリケーションを携帯端末にインストールする必要なく、複数のビルにおいてビーコンサービスを受けることができるようにすることにある。
【課題を解決するための手段】
【００１１】
本発明は、ビルの利用者が携帯する携帯端末と、複数のビルに設置され固有の識別情報を所定範囲内に発信する複数のビーコン発信機と、サーバと、を含むビル用ビーコンシステムであって、前記携帯端末は、前記ビーコン発信機からの前記識別情報を受信する端末側受信部と、前記ビーコン発信機から前記識別情報を受信したときに、当該識別情報を前記サーバへ送信する端末側送信部と、表示部と、を備え、前記複数のビーコン発信機の少なくとも一部は、各ビルにおいて、ビルに入った前記利用者が携帯する前記携帯端末が前記識別情報を受信可能となる位置である入場検出可能位置に設置され、前記サーバは、前記複数のビーコン発信機が発信する各識別情報と、前記各識別情報を発信する前記ビーコン発信機が設置されたビルに関する情報であるビル情報とを関連付けて記憶するサーバ側記憶部と、前記携帯端末から前記識別情報を受信した場合に、受信した前記識別情報に対応する前記ビル情報を前記携帯端末に送信するサーバ側送信部と、を備え、前記表示部は、前記サーバから受信した前記ビル情報を表示する、ことを特徴とする。【００１２】
望ましくは、前記複数のビーコン発信機の少なくとも一部は、各ビルにおいて、ビルの入口階のエレベーターホール近傍に設置される、ことを特徴とする。【００１３】
望ましくは、前記ビル情報は、ビルに入居している入居者に関する入居者情報である、ことを特徴とする。【００１４】
望ましくは、前記入居者情報は、前記入居者が入居する階を示す情報を含む、ことを特徴とする。【００１５】
望ましくは、前記サーバ側記憶部は、前記各識別情報と、前記各識別情報を発信する前記ビーコン発信機が設置されたビルの種別を示すビル種別情報とを関連付けて記憶し、前記サーバ側送信部は、前記携帯端末から前記識別情報を受信した場合に、前記識別情報に対応する前記ビル種別情報を前記携帯端末に送信し、前記表示部は、前記サーバから受信した前記ビル種別情報に応じた表示態様において、前記サーバから受信した前記ビル情報を表示する、ことを特徴とする。【００１６】
望ましくは、前記携帯端末は、前記利用者に関する利用者情報を記憶する端末側記憶部、をさらに備え、前記端末側送信部は、前記利用者情報をさらに前記サーバへ送信し、前記サーバ側送信部は、前記携帯端末から前記識別情報を受信した場合に、受信した前記識別情報に対応する前記入居者情報、及び、前記複数の入居者の中から受信した前記利用者情報に基づいて特定された特定入居者を示す情報を前記携帯端末に送信し、前記表示部は、前記入居者情報のうち前記特定入居者に関する情報を強調表示する、ことを特徴とする。【００１７】
望ましくは、前記複数のビーコン発信機は、少なくとも１つのビル内において複数の位置に設置され、前記携帯端末は、前記携帯端末を識別する端末ＩＤを記憶する端末側記憶部、をさらに備え、前記端末側送信部は、前記ビーコン発信機から前記識別情報を受信したときに、前記端末ＩＤをさらに前記サーバへ送信し、前記サーバ側記憶部は、前記ビーコン発信機が発信する各識別情報と、各識別情報を発する前記ビーコン発信機の設置位置を示す設置位置情報を関連付けて記憶し、且つ、前記端末ＩＤ毎に区別された前記識別情報の受信履歴情報を記憶し、前記サーバ側送信部は、前記携帯端末から前記識別情報及び前記端末ＩＤを受信した場合に、前記設置位置情報、及び、受信した端末ＩＤに対応する前記受信履歴情報に基づいて、当該ビル内における前記設置位置の中から特定された特定設置位置を示す情報を前記携帯端末に送信し、前記表示部は、前記ビル情報のうち、前記特定設置位置に関する情報を強調表示する、ことを特徴とする。【００１８】
望ましくは、前記サーバ側記憶部は、前記入場検出可能位置に設置された前記ビーコン発信機に対応する前記識別情報と、退ビル時情報とを関連付けて記憶し、前記サーバ側送信部は、前記入場検出可能位置に設置された前記ビーコン発信機に対応する前記識別情報を受信した場合であって、前記携帯端末からの前記識別情報の受信履歴が所定の条件を満たした場合に、前記退ビル時情報を前記携帯端末に送信する、ことを特徴とする。
【発明の効果】
【００１９】
本発明によれば、利用者が複数のビーコン用アプリケーションを携帯端末にインストールする必要なく、複数のビルにおいてビーコンサービスを受けることができる。
【図面の簡単な説明】
【００２０】
【図１】本実施形態に係るビル用ビーコンシステムの構成概略図である。
【図２】ビルの入口階のエレベーターホールに設置されたビーコン発信機の例を示す図である。
【図３】ビル情報ＤＢの内容の例を示す概念図である。
【図４】ビルタイプＤＢの内容の例を示す概念図である。
【図５】ビーコン情報ＤＢの内容の例を示す概念図である。
【図６】ユーザ情報ＤＢの内容の例を示す概念図である。
【図７】本実施形態の処理の流れを示すフローチャートである。
【図８】テナント一覧情報の表示例を示す図である。
【図９】ビルタイプが商業ビルである場合のビル情報の表示例を示す図である。
【図１０】受付情報の表示例を示す図である。
【図１１】ビル周辺情報の表示例を示す図である。
【発明を実施するための形態】
【００２１】
以下、本発明の実施形態について説明する。
【００２２】
図１には、本実施形態に係るビル用ビーコンシステム１０の構成概略図が示されている。ビル用ビーコンシステム１０は、複数のビルに設置された複数のビーコン発信機１２、ビルの利用者（ユーザ）が携帯して使用する携帯端末１４、及びサーバ１６を含んで構成される。携帯端末１４とサーバ１６は、ＬＡＮ、携帯電話通信回線、あるいはインターネットなどを含む通信回線１８を介して通信可能に接続される。図１においては、携帯端末１４が１つのみ示されているが、ビル用ビーコンシステム１０には複数のユーザが使用する複数の携帯端末１４が含まれていてよい。なお、ビーコン発信機１２が設置されるビルとしては、様々なタイプのビルが含まれていてよい。例えば、オフィスビル、商業ビル、マンション、病院、宿泊ビル、あるいは空港ビルなどが含まれていてよい。本実施形態では、Ａビルがオフィスビルであり、Ｂビルが商業ビルであるとする。
【００２３】
ビーコン発信機１２は、自装置から所定範囲内の領域（以下「ビーコン発信領域」と記載する）に対してビーコン信号を発信し続けるものである。本実施形態においては、ビーコン発信機１２は、ブルートゥース（登録商標）規格においてビーコン信号を発信し続ける。ビーコン信号には、ビーコン発信機１２を一意に識別する識別情報としてのビーコンＩＤが含まれる。その他、ビーコン信号には、ビーコン発信機１２が設置されたビルを識別するビルＩＤ、あるいは、ビル内の設置位置を示す情報などが含まれていてもよい。ビーコンＩＤとしては、例えばＵＵＩＤ（Universally Unique Identifier）が利用され、ビルＩＤ及び設置位置を示す情報は、例えば、ビーコン信号に含まれるメジャーあるいはマイナーコードにおいて設定される。ビーコン発信機１２の電源としては、本実施形態では内蔵電池（不図示）が利用されるが、ビルにおいて利用される電源がビーコン発信機１２に供給されるようにしてもよい。
【００２４】
ビーコン発信機１２は、少なくとも、各ビルにおいて、自らが発信するビーコン信号を、ビルに入ったユーザが携帯する携帯端末１４が受信可能となる位置である入場検出可能位置に設置される。入場検出可能位置とは、ユーザがビルに入り、少なくとも当該ビル内の目的地に到達するまでの間に、当該ユーザが携帯する携帯端末１４がビーコン信号を受信可能となる位置である。入場検出可能位置としては、例えば、ビルの入口階のエレベーターホール近傍が挙げられる。
【００２５】
より詳しくは、ビーコン発信機１２は、例えば図２に示すように、ビルの入口階（図２においては１Ｆ）のエレベーターの操作パネルの上部などに設置される。好適には、ビル利用者が手を触れられないよう、あるいは意匠の観点から問題無いよう、ビーコン発信機１２は壁の内側に設置されるのが好ましい。例えば、エレベーターの昇降路内に設置される。もちろん、ビーコン発信機１２は、操作パネルの上部に限られず、エレベーターホールの床下、あるいはエレベーターの扉に対向する壁の内部などに設置されてもよい。
【００２６】
また、本実施形態においては、ビーコン発信機１２は、各ビル内において複数の位置に設けられる。より詳しくは、各ビルに入居している複数の入居者（各ビルのテナントを借りて業務を行っている企業あるいは店舗を含む）の入居エリアに対応して設置される。例えば、各入居者が企業である場合には、各ビーコン発信機１２は、各企業のオフィス入口（受付）近傍に設置される。あるいは、ビーコン発信機１２は、ビルの各階のエレベーターホール近傍に設置されてもよい。
【００２７】
携帯端末１４は、例えば、スマートフォンあるいはタブレット端末などから構成される。ただし、それらに限られず、以下に説明する機能を発揮し、ユーザが携帯できる程度に小型軽量である限りにおいてどのような端末（コンピュータ）であってもよい。以下、携帯端末１４の構成について説明する。
【００２８】
制御部３０は、例えばマイクロコンピュータなどを含んで構成される。制御部３０は、記憶部４０に記憶されたプログラムに従って携帯端末１４の各部の制御を行うものである。
【００２９】
端末側受信部としてのビーコン受信部３２は、ビーコン発信機１２が送信したビーコン信号を受信するものである。つまり、ビーコン受信部３２は、ビーコンＩＤを受信する。上述のように、本実施形態では、ビーコン信号はブルートゥース規格において発信されるから、本実施形態におけるビーコン受信部３２はブルートゥース受信機である。
【００３０】
表示部３４は、例えば液晶パネルなどを含んで構成される。表示部３４には、各種情報を含む各種画面が表示される。特に、表示部３４には、サーバ１６から送信されてくる各種情報が表示される。
【００３１】
入力部３６は、例えばタッチパネルあるいはボタンなどを含んで構成される。入力部３６は、ユーザから各種情報を携帯端末１４に入力するために用いられる。
【００３２】
端末側送信部としての通信部３８は、例えばＬＡＮモジュールあるいは携帯電話回線通信モジュールなどから構成される。通信部３８は、通信回線１８を介してサーバ１６との間で各種情報を送受信するために用いられる。
【００３３】
端末側記憶部としての記憶部４０は、例えばＲＯＭ（Read Only Memory）、あるいはＲＡＭ（Random Access Memory）などを含んで構成される。記憶部４０には、携帯端末１４を動作させるためのプログラムが記憶される。
【００３４】
また、記憶部４０には、携帯端末１４上で動作するビーコンアプリケーション４２が記憶される。ビーコンアプリケーション４２は、ビーコン発信機１２からのビーコン信号の検出、ビーコンＩＤなどのサーバ１６への送信処理、及びサーバ１６から受信した各種情報の表示処理、あるいはユーザからの入力処理を実行するソフトウェアプログラムである。以下、本明細書においてビーコンアプリケーション４２を主体として種々の処理を行うと記載するが、それは制御部３０がビーコンアプリケーション４２のプログラムに従って処理を行うことを意味する。なお、ビーコンアプリケーション４２は、処理対象のビーコンＩＤのリストを有している。ビーコンアプリケーション４２は、当該リストに含まれているビーコンＩＤを受信した場合に、上記送信処理を行う。当該リストに含まれていないビーコン信号を受信した場合は、上記送信処理を行わない。
【００３５】
また、記憶部４０には、利用者に関する利用者情報としての、携帯端末１４の言語設定情報４４及びユーザ情報４６が記憶される。言語設定情報４４は、携帯端末１４の表示言語を決定するものであり、例えばユーザにより設定される。一般に、言語設定情報４４はユーザが日常的に使用する言語が選択される。ユーザ情報４６は、携帯端末１４を使用するユーザに関する情報であり、当該ユーザにより入力される。ユーザ情報４６としては、例えば、当該ユーザの会社名、部署名、役職、電話番号、性別、年齢、あるいは趣味・嗜好など様々な情報が含まれていてよい。
【００３６】
さらに、記憶部４０には、携帯端末１４を一意に識別する端末ＩＤ４８が記憶される。端末ＩＤ４８としては、携帯端末１４を一意に識別できる限りにおいてどのようなＩＤであってもよく、例えばＭＡＣ（Media Access Control）アドレスが用いられる。
【００３７】
ここで、携帯端末１４の動作について簡単に説明する。まず、携帯端末１４上でビーコンアプリケーション４２が起動した状態において、携帯端末１４がビーコン発信機１２のビーコン発信領域内に進入すると、ビーコン受信部３２がビーコン信号を受信する。ビーコンアプリケーション４２は、ビーコン信号内のビーコンＩＤを識別し、受信したビーコンＩＤがビーコンアプリケーション４２の処理対象のビーコンＩＤであるか否かを判定する。受信したビーコンＩＤが処理対象である場合には、当該ビーコンＩＤをサーバ１６へ送信する（通信部３８に送信させる）。本実施形態では、さらに、言語設定情報４４、ユーザ情報４６、及び端末ＩＤ４８をサーバ１６に送信する。ビーコンアプリケーション４２は、携帯端末１４がビーコン発信領域内に存在する限り（ビーコン受信部３２がビーコン信号を受信する限り）、少なくともビーコンＩＤ及び端末ＩＤ４８を間欠的にサーバ１６へ送信し続ける。その後、通信部３８は、サーバ１６からビーコンＩＤに応じた情報を受信し、制御部３０はサーバ１６から受信した情報を表示部３４に表示させる。
【００３８】
サーバ１６は、以下に説明する機能を実現可能な限りの性能を有するコンピュータで構成される。サーバ１６は、携帯端末１４から受信したビーコン信号に含まれるビーコンＩＤに基づいて、携帯端末１４に各種情報を送信するものである。以下、サーバ１６の構成について説明する。
【００３９】
制御部６０は、例えばマイクロコンピュータなどを含んで構成される。制御部６０は、記憶部６６に記憶されたプログラムに従ってサーバ１６の各部の制御を行うものである。
【００４０】
サーバ側送信部としての通信部６２は、例えばＬＡＮモジュールなどから構成される。通信部６２は、通信回線１８を介して携帯端末１４との間で各種情報を送受信するために用いられる。
【００４１】
計時部６４は、例えば、タイマＩＣや水晶振動子、クロックモジュール等を含んで構成される。計時部６４は、現在時刻（日付含む）を計時して制御部６０に出力する。
【００４２】
サーバ側記憶部としての記憶部６６は、例えばＲＯＭ、ＲＡＭ、あるいはハードディスクなどを含んで構成される。記憶部６６には、サーバ１６を動作させるためのプログラムが記憶される。また、記憶部６６には各種ＤＢ（データベース）が記憶される。詳しくは、ビル情報ＤＢ７０、ビルタイプＤＢ７２、ビーコン情報ＤＢ７４、及びユーザ情報ＤＢ７６が記憶される。
【００４３】
ビル情報ＤＢ７０においては、各ビーコン発信機１２が発信するビーコンＩＤと、当該ビーコンＩＤを発信するビーコン発信機１２が設置されたビルに関するビル情報とが関連付けられて記憶される。ビル情報ＤＢ７０は、ビル用ビーコンシステム１０の管理者などによって予め設定され記憶部６６に記憶される。
【００４４】
本実施形態においては、ビル情報として、当該ビルに入居している入居者に関する入居者情報が記憶される。入居者情報には、例えば、当該ビルのテナントあるいは店舗一覧情報（各入居者の入居階を示す情報）、各入居者が企業である場合における受付を行うための受付情報、あるいは、入居者が店舗である場合における当該店舗で利用可能なクーポン情報などが含まれる。
【００４５】
図３に、ビル情報ＤＢ７０のデータ構造の例が示されている。図３に示されるように、本実施形態では、ビル情報ＤＢ７０はテーブル形式となっており、当該テーブルの各レコードにおいて、ビーコンＩＤとビル情報が関連付けられている。
【００４６】
例えば、ビーコンＩＤ「ＢＥ０００１」を発信するビーコン発信機１２は、オフィスビルであるビルＡの入場検出可能位置に設置されるものであり、当該ビーコンＩＤには、ビルＡテナント一覧情報が関連付けられている。ビルＡテナント一覧情報には、ビルＡに入居している各入居者の名前（企業名あるいは部署名など）、及び各入居者が入居する階を示す情報が含まれる。また、ビルＡテナント一覧情報には、ビルＡに入居する各入居者の連絡先（電話番号など）あるいは入居者のウェブサイトアドレスなど、種々の情報が含まれていてよい。
【００４７】
また、ビーコンＩＤ「ＢＥ０００３」を発信するビーコン発信機１２は、ビルＡの３階に入居しているＮ社のオフィス入口近傍に設置されるものであるため、当該ビーコンＩＤには、Ｎ社の受付情報が関連付けられている。当該受付情報には、来訪者がＮ社に入るときに必要な受付手続を行うための情報が含まれている。例えば、受付情報は、来訪者に関する情報（会社名、部署名、名前など）を入力するための入力欄を含む画面を表示させるための情報である。あるいは、受付情報には、Ｎ社の窓口あるいは担当者の連絡先（電話番号）などが含まれていてもよい。
【００４８】
また、ビーコンＩＤ「ＢＥ０００７」を発信するビーコン発信機１２は、商業ビルであるビルＢに入居しているＳ店の入口近傍に設置されるものであり、当該ビーコンＩＤには、Ｓ店のクーポン情報が関連付けられている。当該クーポン情報は、それをＳ店で提示することによって、利用者がＳ店において種々のサービスを受けることができるものである。
【００４９】
さらに、ビル情報ＤＢ７０においては、各ビルの入場検出可能位置に設置されたビーコン発信機１２が発信するビーコンＩＤ（図３の例では「ＢＥ０００１」及び「ＢＥ０００６」）には、利用者がビルから退場すると判定できる場合に携帯端末１４に送信される退ビル時情報が関連付けられる。例えば、ビーコンＩＤ「ＢＥ０００１」には、ビルＡの周辺情報を示すビルＡ周辺情報が関連付けられる。ビルＡ周辺情報には、例えば、ビルＡ周辺の店舗、最寄駅、あるいは地図などが含まれる。退ビル時情報が携帯端末１４に送信される条件については後述する。
【００５０】
なお、図３には図示されていないが、各ビーコンＩＤに関連付けられた各ビル情報あるいは各退ビル時情報は、複数の言語（日本語、英語、中国語、韓国語、フランス語、イタリア語、スペイン語など）において用意されている。例えば、ビーコンＩＤ「ＢＥ０００１」には、複数の言語で表記されたビルＡテナント一覧情報が関連付けられている。
【００５１】
図１に戻り、ビルタイプＤＢ７２においては、各ビーコン発信機１２が発信するビーコンＩＤと、当該ビーコンＩＤを発信するビーコン発信機１２が設置されたビルのタイプ（種別）を示すビル種別情報としてのビルタイプ情報とが関連付けられて記憶される。ビルタイプとしては、上述の通り、例えば、オフィスビル、商業ビル、マンション、病院、宿泊ビル、あるいは空港ビルなどが挙げられる。
【００５２】
図４にビルタイプＤＢ７２のデータ構造の例が示されている。図４に示されるように、本実施形態では、ビルタイプＤＢ７２もテーブル形式となっており、当該テーブルの各レコードにおいて、ビーコンＩＤとビルタイプ情報が関連付けられている。
【００５３】
図１に戻り、ビーコン情報ＤＢ７４においては、各ビーコン発信機１２が発信するビーコンＩＤと、当該ビーコンＩＤを発信するビーコン発信機１２が設置された位置を示す設置位置情報とが関連付けられて記憶される。
【００５４】
図５にビーコン情報ＤＢ７４のデータ構造の例が示されている。図５に示されるように、本実施形態では、ビーコン情報ＤＢ７４もテーブル形式となっており、当該テーブルの各レコードにおいて、ビーコンＩＤと設置位置情報が関連付けられている。図５に示すように、設置位置情報としては、少なくとも対応するビーコン発信機１２が設置されたビル及び階を示す情報を含む。さらに、ビル入居者の入居エリアに対応して設けられたビーコン発信機１２のビーコンＩＤに関連付けられた設置位置情報には、対応する入居者を示す情報（入居者名など）が含まれる。
【００５５】
図１に戻り、ユーザ情報ＤＢ７６においては、ビーコンアプリケーション４２がインストールされ、ビーコンＩＤを送信してきた携帯端末１４の端末ＩＤと、当該携帯端末１４の言語設定情報４４及びユーザ情報４６、並びに、当該携帯端末１４から過去に受信したビーコンＩＤの受信履歴を示す受信履歴情報とが関連付けられている。
【００５６】
図６にユーザ情報ＤＢ７６のデータ構造の例が示されている。図６に示されるように、本実施形態では、ユーザ情報ＤＢ７６もテーブル形式となっており、当該テーブルの各レコードにおいて、端末ＩＤと各情報とが関連付けられている。
【００５７】
例えば、端末ＩＤ「Ｄ０００１」には、当該端末ＩＤに対応する携帯端末１４から送信された言語設定情報４４に基づいて、言語設定「日本語」が関連付けられる。また、同端末ＩＤには、同携帯端末１４から送信されたユーザ情報４６に基づいて、例えば当該ユーザの会社名、部署名、役職、電話番号、性別、年齢などが関連付けられる。
【００５８】
また、サーバ１６の制御部６０は、携帯端末１４からビーコンＩＤ及び端末ＩＤを受信したときの時刻を計時部６４から取得し、当該時刻を、当該ビーコンＩＤのビーコン発信領域に当該端末ＩＤが示す携帯端末１４が進入した時刻（ＩＮ時刻）として記憶する。同様に、携帯端末１４からビーコンＩＤ及び端末ＩＤを受信しなくなったときの時刻を計時部６４から取得し、当該時刻を、当該ビーコンＩＤのビーコン発信領域から当該端末ＩＤが示す携帯端末１４が退出した時刻（ＯＵＴ時刻）として記憶する。これらビーコンＩＤ、ＩＮ時刻、及びＯＵＴ時刻が端末ＩＤに関連付けられてユーザ情報ＤＢ７６に記憶される。
【００５９】
なお、上述のように、ビーコンアプリケーション４２は、携帯端末１４が、あるビーコンＩＤのビーコン発信領域内に存在する限りにおいて、当該ビーコンＩＤ及び端末ＩＤ４８を送信し続けるが、制御部６０は、ある端末ＩＤ４８について、前回受信したビーコンＩＤと今回受信したビーコンＩＤが同一である場合には、ＩＮ時刻の記録は行わない。
【００６０】
受信履歴情報及びビーコン情報ＤＢ７４によれば、ビル内における携帯端末１４（すなわちユーザ）の動きが把握できる。図５及び６に示した例によれば、端末ＩＤ「Ｄ０００１」が示す携帯端末１４は、まず、Ａビルの１Ｆエレベーターフロアに設置されたビーコン発信機１２のビーコン発信領域へ「２０１６年６月３０日１３時２３分」に進入したことが分かる。つまり、同時刻にユーザがＡビルに入場したことが把握できる。また、携帯端末１４は、Ａビル５ＦのＯ社会議室入口に設置されたビーコン発信機１２のビーコン発信領域へ「２０１６年６月３０日１３時２４分」に進入したことが分かる。つまり、同時刻にユーザがＯ社オフィスへ到着したことが把握できる。さらに、同ビーコン発信領域からのＯＵＴ時刻である「２０１６年６月３０日１５時０１分」に、当該ユーザがＯ社オフィスから退出したことが把握できる。
【００６１】
ビル用ビーコンシステム１０の構成概略としては以上の通りである。以下、図７に示すフローチャートに従って、適宜図８〜１２を参照しながら、ビル用ビーコンシステム１０の処理の流れを説明する。図７に示すフローチャートの開始時において、サーバ１６の記憶部６６には、図３に示す内容のビル情報ＤＢ７０、図４に示す内容のビルタイプＤＢ７２、及び図５に示す内容のビーコン情報ＤＢ７４が記憶済みであるとする。図７に示すフローチャートは、携帯端末１４を携帯したユーザがビルＡに入り、そこで用事を済ませてビルＡを出るまでに実行される処理の流れが示されている。
【００６２】
ステップＳ１０において、利用者が携帯端末１４上でビーコンアプリケーション４２を起動させた状態においてビルＡに入ると、当該携帯端末１４のビーコン受信部３２は、ビルＡの入場検出可能位置（本例では入場階である１Ｆのエレベーターフロア）に設置されたビーコン発信機１２からビーコン信号を受信する。当該ビーコン信号には、ビーコンＩＤ「ＢＥ０００１」（図５参照）が含まれている。
【００６３】
ステップＳ１２において、ビーコンアプリケーション４２は、ビーコン信号からビーコンＩＤを識別する。そして、当該ビーコンＩＤがビーコンアプリケーション４２の処理対象である場合には、受信したビーコンＩＤ「ＢＥ０００１」をサーバ１６へ送信する。また、ビーコンＩＤと共に、記憶部４０に記憶された、端末ＩＤ４８、言語設定情報４４、及びユーザ情報４６をサーバ１６へ送信する。ここでは、端末ＩＤ４８として「Ｄ０００１」、言語設定情報４４として「日本語」、ユーザ情報４６として当該ユーザの会社名、部署名、役職、電話番号、性別、及び年齢が送信されるものとする。
【００６４】
なお、言語設定情報４４及びユーザ情報４６については、ビーコン発信機１２からビーコン信号を受信する度にサーバ１６へ送信しなくてもよい。例えば、言語設定情報４４及びユーザ情報４６をサーバ１６へ送信済みであることをビーコンアプリケーション４２が記憶しておき、送信済みである場合にはこれらの情報を送信しなくてもよい。もちろん、これらの情報に変更があった場合は、ビーコン信号を受信したタイミングなどにおいて再度サーバ１６へ送信される。
【００６５】
ステップＳ１４において、サーバ１６の制御部６０は、携帯端末１４から受信した端末ＩＤ４８、言語設定情報４４、及びユーザ情報４６に基づいて、ユーザ情報ＤＢ７６の内容を更新する。具体的には、制御部６０は、受信した端末ＩＤ「Ｄ０００１」、言語設定情報４４「日本語」、及びユーザ情報４６をユーザ情報ＤＢ７６の新たなレコードとして追加する。なお、受信した端末ＩＤ「Ｄ０００１」を示すレコードが既にユーザ情報ＤＢ７６に記憶されている場合は、新たなレコードを追加せず、既に存在するレコードを更新するようにしてもよい。
【００６６】
さらに、制御部６０は、携帯端末１４からビーコンＩＤを受信した時刻に基づいて、ユーザ情報ＤＢ７６の受信履歴情報を更新する。具体的には、上述の通り、ビーコンＩＤ「ＢＥ０００１」を受信した時刻をＩＮ時刻とする。そして、ビーコンＩＤ「ＢＥ０００１」及び当該ＩＮ時刻の組を端末ＩＤ「Ｄ０００１」に関連付けてユーザ情報ＤＢ７６に記憶させる。
【００６７】
ステップＳ１６において、サーバ１６の制御部６０は、携帯端末１４から受信したビーコンＩＤ及び端末ＩＤ４８に基づいて、ビル情報及びビルタイプ情報を特定する。具体的には、制御部６０は、ビル情報ＤＢ７０（図３）を参照し、受信したビーコンＩＤに対応するビル情報を特定する。ここでは、ビーコンＩＤ「ＢＥ０００１」に対応するビル情報である「ビルＡテナント一覧情報」が特定される。また、制御部６０は、ユーザ情報ＤＢ７６（図６）に基づいて、受信した端末ＩＤ（本例では「Ｄ０００１」）に関連付けられている言語設定を特定し（本例では「日本語」）、複数の言語で用意されている「ビルＡテナント一覧情報」のうち、特定した言語設定に対応する情報、つまり日本語の「ビルＡテナント一覧情報」を特定する。なお、ビル情報ＤＢ７０においては、ビーコンＩＤ「ＢＥ０００１」には退ビル時情報も関連付けられているが、ここでは、退ビル時情報の送信条件（後述）を満たしていないとし、受信したビーコンＩＤに対応するビル情報としては、「ビルＡテナント一覧情報」が特定される。
【００６８】
さらに、制御部６０は、ビルタイプＤＢ７２（図４）を参照し、受信したビーコンＩＤに対応するビルタイプ情報を特定する。ここでは、ビーコンＩＤ「ＢＥ０００１」に対応するビルタイプ情報である「オフィスビル」が特定される。
【００６９】
サーバ１６が、入場検出可能位置に設置されたビーコン発信機１２に対応するビーコンＩＤを受信した場合、ステップＳ１８において、サーバ１６の制御部６０は、当該ビルに設置された複数のビーコン発信機１２の複数の設置位置のうち、ユーザの目的地と判定される特定設置位置を特定する。あるいは、ステップＳ１８において、サーバ１６の制御部６０は、当該ビル情報に含まれる複数の入居者のうち、ユーザに特に関連すると判定される特定入居者を特定する。
【００７０】
まず、制御部６０が特定設置位置を特定する処理について説明する。特定設置位置は、ユーザ情報ＤＢ７６のうち受信履歴情報に基づいて特定される。例えば、ユーザ情報ＤＢ７６に図６に示される通りの内容が記憶されているとする。この場合、制御部６０は、ステップＳ１２で携帯端末１４から送信された端末ＩＤ「Ｄ０００１」に関連付けられている受信履歴情報を参照する。そして、当該受信履歴情報に含まれるビーコンＩＤのうち、入場検出可能位置に設置されたビーコン発信機１２に対応するビーコンＩＤ「ＢＥ０００１」以外であって、受信回数が最も多いビーコンＩＤを特定する。図６の例では、ビーコンＩＤ「ＢＥ０００５」が特定される。次いで、制御部６０は、ビーコン情報ＤＢ７４を参照し、特定したビーコンＩＤ「ＢＥ０００５」がビルＡに設置されたものであるか否かを判定し、そうである場合、特定したビーコンＩＤ「ＢＥ０００５」の設置位置である「Ａビル５Ｆ  Ｏ社会議室入口」が特定設置位置として特定される。
【００７１】
次に、制御部６０が特定入居者を特定する処理について説明する。特定入居者は、ユーザ情報ＤＢ７６に記憶されたユーザ情報に基づいて特定される。例えば、商業ビルであるビルＢの１Ｆに入ったユーザの携帯端末１４からビーコンＩＤ「ＢＥ０００６」及び端末ＩＤ「Ｄ０００２」を受信した場合を考える。この場合、ユーザ情報ＤＢ７６において、受信した端末ＩＤ「Ｄ０００２」に関連付けられたユーザ情報（特に性別、年齢、趣味・嗜好など）に基づいて、ビルＢに含まれる各店舗のうち、当該ユーザが好みそうな店舗が特定入居者として特定される。なお、この場合、サーバ１６の記憶部６６には、ビルＢに含まれる各店舗に関する情報も有していることが前提となる。
【００７２】
ステップＳ２０において、サーバ１６の制御部６０は、特定したビル情報「ビルＡテナント一覧情報」、ビルタイプ情報「オフィスビル」、及び特定設置位置情報あるいは特定入居者情報（ここでは特定設置位置情報「Ａビル５Ｆ  Ｏ社会議室入口」とする）を携帯端末１４に送信する（通信部６２に送信させる）。
【００７３】
ステップＳ２２において、携帯端末１４がサーバ１６からビル情報などを受信すると、ビーコンアプリケーション４２は、受信したビルタイプ情報に基づいた表示態様において、受信したビル情報を表示部３４に表示させる。本実施形態では、ビーコンアプリケーション４２は、ビルタイプ情報に応じた画面デザインにて、ビル情報を含む画面を表示部３４に表示させる。
【００７４】
図８に、ステップＳ２２で表示部３４に表示される画面の例が示されている。図８に示されるように、表示部３４には、ビル情報であるビルＡテナント一覧情報が表示される。本実施形態では、ビルＡの階毎に、入居している入居者の名称が示される。さらに、各入居者の連絡先（電話番号など）あるいは入居者のウェブサイトアドレスなどの種々の情報が表示されてよい。
【００７５】
また、入居者の連絡先が表示された場合は、ユーザにより当該連絡先がタップされたことにより、携帯端末１４の制御部３０は、当該連絡先に連絡するための他のアプリケーション（通話アプリケーションあるいはメールアプリケーション）を起動するようにしてもよい。
【００７６】
また、ビルＡテナント一覧情報に表示された、階を示す文字あるいは入居者の名称がユーザによりタップされた場合、携帯端末１４からビルＡのエレベーター制御装置に対して、タップされた階あるいはタップされた入居者が入居する階を示す呼び情報が送信され、ビルＡのエレベーターにおいて当該呼び情報に対応する呼びが登録されるようにしてもよい。
【００７７】
上述のように、図８に示された画面は、ビルタイプ「オフィスビル」に応じた画面デザインである。ビルＡはオフィスビルであるから、一般的にビルＡに来訪する者は、商談などのビジネスを目的とする者である。したがって、ビジネスに相応しい画面デザインにてビル情報が表示される。ここで、画面デザインとは、各種情報の表示位置（レイアウト）のみならず、文字のフォントあるいは大きさ、背景色、枠、線、図形のデザインなどを含む概念である。
【００７８】
仮に、携帯端末１４を携帯したユーザがビルＢに入場し、ビルＢ内のＳ店入口に設置されたビーコン発信機１２からビーコンＩＤ「ＢＥ０００７」を受信した場合、携帯端末１４は、ビル情報「Ｓ店クーポン情報」及びビルタイプ情報「商業ビル」をサーバ１６から受信する（図３及び４参照）。この場合、ビーコンアプリケーション４２は、Ｓ店クーポン情報をビルタイプ「商業ビル」に応じた画面デザインで表示部３４に表示させる。そのような画面が図９に示されている。一般的にビルＢに来訪する者は、買い物あるいは飲食などの娯楽を目的とする者である。したがって、そのような娯楽に相応しい画面デザイン、少なくともビルタイプ「オフィスビル」と比較して、親しみやすいポップな画面デザインにてビル情報が表示される。
【００７９】
再度図８を参照し、さらに、ビーコンアプリケーション４２は、サーバ１６から受信した特定設置位置情報に基づいて、表示されたビルＡテナント一覧情報のうち、ユーザの目的地であると判定された設置位置を強調表示させる。本例では、特定設置位置は「Ａビル５Ｆ  Ｏ社会議室入口」であるため、例えば、図８に示すように、当該会議室がある「５Ｆ  Ｏ社」の文字を強調表示させる。あるいは、会議室に関する表示（説明文あるいは枠など）を強調表示させてもよい。強調表示の具体的な方法は、例えば枠線を太くする、文字あるいは背景を着色する、点滅させる、など種々の方法であってよい。また、サーバ１６が特定設置位置情報に代えて特定入居者情報を受信した場合は、受信した特定入居者情報に基づいて、表示されたビルＡテナント一覧情報のうち、ユーザが好みそうな入居者に関する情報が強調表示される。
【００８０】
ステップＳ２２でビルＡテナント一覧情報を確認したユーザは、エレベーターを利用するなどして目的の階へと移動する。ここで、ユーザが移動したことによって、ビルＡの１Ｆエレベーターフロアに設置されたビーコン発信機１２からビーコン信号を携帯端末１４が受信しなくなった場合、ビーコンアプリケーション４２はビーコンＩＤ「ＢＥ０００１」の送信を停止する。これを検知したサーバ１６は、ユーザ情報ＤＢ７６を更新する。具体的には、制御部６０は、携帯端末１４からビーコンＩＤ「ＢＥ０００１」の送信が途絶えた時刻を計時部６４から取得し、当該時刻をＯＵＴ時刻とする。そして、当該ビーコンＩＤと当該ＯＵＴ時刻の組を直前まで受信していた端末ＩＤ４８に関連付けてユーザ情報ＤＢ７６に記憶させる（図６参照）。
【００８１】
ステップＳ２４において、ユーザがビルＡ内の目的地（ここでは５Ｆ  Ｏ社会議室とする）に到着すると、携帯端末１４はＯ社会議室入口に設けられたビーコン発信機１２からビーコン信号を受信する。当該ビーコン信号には、ビーコンＩＤ「ＢＥ０００５」が含まれる。
【００８２】
ステップＳ２６において、ビーコンアプリケーション４２は、ステップＳ１２同様、ビーコン信号からビーコンＩＤを識別する。そして、当該ビーコンＩＤがビーコンアプリケーション４２の処理対象である場合には、受信したビーコンＩＤ「ＢＥ０００５」及び端末ＩＤ「Ｄ０００１」をサーバ１６へ送信する。
【００８３】
ステップＳ２８において、サーバ１６の制御部６０は、携帯端末１４から受信したビーコンＩＤ及び端末ＩＤ４８に基づいて、ユーザ情報ＤＢ７６の受信履歴情報を更新する。具体的な処理はステップＳ１４と同等であるため、ここでは説明を省略する。
【００８４】
ステップＳ３０において、サーバ１６の制御部６０は、携帯端末１４から受信したビーコンＩＤ及び端末ＩＤ４８に基づいて、ビル情報を特定する。具体的な処理はステップＳ１６と同等であるため、ここでは説明を省略する。また、ステップＳ３０においても、ビーコンＩＤ「ＢＥ０００５」に対応するビルタイプ情報を送信してもよいが、以下の説明においてはビルタイプ情報に関する説明は省略する。
【００８５】
ステップＳ３２において、サーバ１６の制御部６０は、ステップＳ３０で特定したビル情報「Ｏ社会議室受付情報」を携帯端末１４に送信する。
【００８６】
ステップＳ３４において、ビーコンアプリケーション４２は、受信したビル情報を表示部３４に表示させる。図１０に、ステップＳ３４で表示部３４に表示される画面の例が示されている。「Ｏ社会議室受付情報」には、当該会議室の担当者（管理者）に関する情報（顔画像、部署名、及び氏名）が含まれているため、表示部３４には受付画面としてそれらの情報が表示される。
【００８７】
また、受付画面には、来訪者の情報（会社名、部署名、氏名など）を入力するための入力欄が含まれていてもよい。ここで、携帯端末１４の記憶部４０に記憶されたユーザ情報４６が自動的に当該入力欄に入力され発信されるようにしてもよい。さらに、表示部３４には、当該担当者の呼び出しボタンが表示される。当該呼び出しボタンがユーザによって押下されると、携帯端末１４の制御部３０は、通話アプリケーションを起動し、当該担当者の電話番号を発信するようにしてもよい。
【００８８】
ユーザがＯ社会議室で打ち合わせが終わり、Ｏ社会議室から離れると、携帯端末１４がビーコンＩＤ「ＢＥ０００５」を含むビーコン信号を受信しなくなり、当該ビーコンＩＤの送信を停止する。これを検知したサーバ１６は、ユーザ情報ＤＢ７６を更新する。具体的な処理は上述の通りであるため、ここでは説明を省略する。
【００８９】
ステップＳ３６において、ユーザがビルＡの１Ｆエレベーターフロアに戻ってくると、携帯端末１４は、ビル１Ｆのエレベーターフロアに設置されたビーコン発信機１２から、ビーコンＩＤ「ＢＥ０００１」を含むビーコン信号を受信する。
【００９０】
ステップＳ３８において、ビーコンアプリケーション４２は、ステップＳ１２及びＳ２６同様、ビーコン信号からビーコンＩＤを識別する。そして、当該ビーコンＩＤがビーコンアプリケーション４２の処理対象である場合には、受信したビーコンＩＤ「ＢＥ０００１」及び端末ＩＤ「Ｄ０００１」をサーバ１６へ送信する。
【００９１】
ステップＳ４０において、サーバ１６の制御部６０は、ステップＳ２８同様、携帯端末１４から受信したビーコンＩＤ及び端末ＩＤ４８に基づいて、ユーザ情報ＤＢ７６の受信履歴情報を更新する。
【００９２】
上述の通り、ビル情報ＤＢ７０において、入場検出可能位置に設置されたビーコン発信機１２が発信するビーコンＩＤには、ビル情報及び退ビル時情報が関連付けられている。当該ビーコンＩＤ及び端末ＩＤ４８を受信した場合、サーバ１６の制御部６０は、ユーザ情報ＤＢ７６のうち、受信した端末ＩＤ４８に対応する受信履歴情報を参照し、当該端末ＩＤ４８が示す携帯端末１４からのビーコンＩＤの受信履歴が所定条件を満たす場合には、ビル情報に代えて、退ビル時情報を携帯端末１４に送信する。
【００９３】
本実施形態における上記所定条件は、ビルＡに設置されたビーコン発信機１２のうち、ビルＡの入場検出可能位置に設置されたビーコン発信機１２以外のビーコン装置が発信するビーコンＩＤ（本例では「ＢＥ０００２」、「ＢＥ０００３」、「ＢＥ０００４」、「ＢＥ０００５」）を受信した後に、ビルＡの入場検出可能位置に設置されたビーコン発信機１２が発信するビーコンＩＤ（本例では「ＢＥ０００１」）を受信した、という条件である。つまり、ユーザがビルＡ内で何らかの用事を済ませ、その後１Ｆのエレベーターホールに戻ってきたと推認できる場合に上記所定条件を満たすと判定する。
【００９４】
なお、上記所定条件としては、ユーザがビルから退場するあるいは退場したと推認できる限りにおいて、上述の条件に限られない。例えば、上記所定条件としては、ビルＡの入場検出可能位置に設置されたビーコン発信機１２が発信するビーコンＩＤを受信した後に、ビルＡに対応するいずれのビーコンＩＤを所定時間受信しなかった、という条件であってもよい。
【００９５】
ステップＳ４２において、サーバ１６の制御部６０は、ユーザ情報ＤＢ７６のうち、受信した端末ＩＤ４８に対応する受信履歴情報を参照し、上記所定条件を満たすか否かを判定する。本例では、サーバ１６は、ビルＡ５ＦのＯ社会議室入口に設置されたビーコン発信機１２が発信するビーコンＩＤ「ＢＥ０００５」を受信し（ステップＳ２４）、その後、ビルＡ１Ｆのエレベーターフロアに設置されたビーコン発信機１２が発信するビーコンＩＤ「ＢＥ０００１」を受信（ステップＳ３６）しているから、上記所定条件を満たしている。したがって、ステップＳ４２では、ビーコンＩＤ「ＢＥ０００１」に関連付けられた退ビル時情報として「Ａビル周辺情報」が特定される。
【００９６】
ステップＳ４４において、サーバ１６の制御部６０は、ステップＳ４２で特定した退ビル時情報「Ａビル周辺情報」を携帯端末１４に送信する。なお、「Ａビル周辺情報」とは、上述の通りＡビルの周辺にある店舗を含む情報であるが、制御部６０は、ユーザ情報ＤＢ７６のうち、ステップＳ３８で携帯端末１４から送信された端末ＩＤ４８に対応するユーザ情報に基づいて、Ａビルの周辺にある店舗のうち、当該ユーザが好みそうな店舗を選抜して送信するようにしてもよい。
【００９７】
ステップＳ４６において、ビーコンアプリケーション４２は、受信した退ビル時情報を表示部３４に表示させる。図１１に、退ビル時情報である「Ａビル周辺情報」の表示例が示されている。
【００９８】
以上説明したビル用ビーコンシステム１０によれば、サーバ１６のビル情報ＤＢ７０には、複数のビルにおいて設置された複数のビーコン発信機１２が発信する複数のビーコンＩＤと、各ビルに関するビル情報が関連付けられて記憶される。これにより、ユーザは、携帯端末１４に１つのビーコンアプリケーション４２をインストールするだけで、複数のビルにおいてビーコンサービスを受けることができる。
【００９９】
また、サーバ１６のビルタイプＤＢ７２には、各ビーコンＩＤとビルタイプ情報が関連付けられて記憶されており、ビーコンＩＤに応じたビルタイプ情報が携帯端末１４に送信される。これにより、ビーコンアプリケーション４２は、ビルタイプに応じた表示態様でビル情報を表示することができる。
【０１００】
また、ビーコンアプリケーション４２においては、携帯端末１４からのビーコンＩＤの受信履歴に基づいて、ユーザが行くであろう目的地が特定され、ビル入場時に携帯端末１４に表示されるテナント一覧情報において特定された目的地が強調表示される。あるいは、ユーザ情報４６に基づいてユーザが好みそうな入居者が特定され、特定された入居者が強調表示される。これにより、ユーザがビル内の目的地（目的階）を容易に把握し得る。
【０１０１】
さらに、ビル用ビーコンシステム１０においては、ユーザがビルから退場すると推認される場合には、サーバ１６から携帯端末１４に当該ビルの周辺情報が送信される。好適には、ビル周辺のユーザが好みそうな店舗の情報が送信される。これにより、ユーザはビルの周辺情報を取得することができ、例えばビルを出た後に情報提供された店舗に寄ることができる。
【０１０２】
以上、本発明に係る実施形態を説明したが、本発明は上記実施形態に限られるものではなく、本発明の趣旨を逸脱しない限りにおいて種々の変更が可能である。
【符号の説明】
【０１０３】
１０  ビル用ビーコンシステム、１２  ビーコン発信機、１４  携帯端末、１６  サーバ、１８  通信回線、３０，６０  制御部、３２  ビーコン受信部、３４  表示部、３６  入力部、３８，６２  通信部、４０，６６  記憶部、４２  ビーコンアプリケーション、４４  言語設定情報、４６  ユーザ情報、４８  端末ＩＤ、６４  計時部、７０  ビル情報ＤＢ、７２  ビルタイプＤＢ、７４  ビーコン情報ＤＢ、７６  ユーザ情報ＤＢ。
【図１】
2018029831.tif 000003
【図２】
2018029831.tif 000004
【図３】
2018029831.tif 000005
【図４】
2018029831.tif 000006
【図５】
2018029831.tif 000007
【図６】
2018029831.tif 000008
【図７】
2018029831.tif 000009
【図８】
2018029831.tif 000010
【図９】
2018029831.tif 000011
【図１０】
2018029831.tif 000012
【図１１】
2018029831.tif 000013
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
ビルの利用者が携帯する携帯端末と、複数のビルに設置され固有の識別情報を所定範囲内に発信する複数のビーコン発信機と、サーバと、を含むビル用ビーコンシステムであって、
前記携帯端末は、
前記ビーコン発信機からの前記識別情報を受信する端末側受信部と、
前記ビーコン発信機から前記識別情報を受信したときに、当該識別情報を前記サーバへ送信する端末側送信部と、
表示部と、
を備え、
前記複数のビーコン発信機の少なくとも一部は、各ビルにおいて、ビルに入った前記利用者が携帯する前記携帯端末が前記識別情報を受信可能となる位置である入場検出可能位置に設置され、
前記サーバは、
前記複数のビーコン発信機が発信する各識別情報と、前記各識別情報を発信する前記ビーコン発信機が設置されたビルに関する情報であるビル情報とを関連付けて記憶するサーバ側記憶部であって、前記入場検出可能位置に設置されたビーコン発信機が発信する識別情報と、前記ビル情報としての当該ビルに入居している複数の入居者に関する入居者情報とを関連付けて記憶するサーバ側記憶部と、
前記携帯端末から前記識別情報を受信した場合に、受信した前記識別情報に対応する前記ビル情報を前記携帯端末に送信するサーバ側送信部であって、前記入場検出可能位置に設置されたビーコン発信機が発信する識別情報を前記携帯端末から受信した場合に、前記ビル情報としての前記入居者情報を前記携帯端末に送信するサーバ側送信部と、
を備え、
前記表示部は、前記サーバから受信した前記ビル情報を表示する、
ことを特徴とするビル用ビーコンシステム。
【請求項２】
前記複数のビーコン発信機の少なくとも一部は、各ビルにおいて、ビルの入口階のエレベーターホール近傍に設置される、
ことを特徴とする、請求項１に記載のビル用ビーコンシステム。
【請求項３】
前記入居者情報は、各入居者が入居する階を示す情報を含む、
ことを特徴とする、請求項１に記載のビル用ビーコンシステム。
【請求項４】
ビルの利用者が携帯する携帯端末と、複数のビルに設置され固有の識別情報を所定範囲内に発信する複数のビーコン発信機と、サーバと、を含むビル用ビーコンシステムであって、
前記携帯端末は、
前記ビーコン発信機からの前記識別情報を受信する端末側受信部と、
前記ビーコン発信機から前記識別情報を受信したときに、当該識別情報を前記サーバへ送信する端末側送信部と、
表示部と、
を備え、
前記サーバは、
前記複数のビーコン発信機が発信する各識別情報と、前記各識別情報を発信する前記ビーコン発信機が設置されたビルに関する情報であるビル情報と、前記各識別情報を発信する前記ビーコン発信機が設置されたビルの種別を示すビル種別情報と、を関連付けて記憶するサーバ側記憶部と、
前記携帯端末から前記識別情報を受信した場合に、受信した前記識別情報に対応する前記ビル情報及び前記ビル種別情報を前記携帯端末に送信するサーバ側送信部と、
を備え、
前記表示部は、前記サーバから受信した前記ビル種別情報に応じた表示態様において、前記サーバから受信した前記ビル情報を表示する、
ことを特徴とするビル用ビーコンシステム。
【請求項５】
前記携帯端末は、
前記利用者に関する利用者情報を記憶する端末側記憶部、
をさらに備え、
前記端末側送信部は、前記利用者情報をさらに前記サーバへ送信し、
前記サーバ側送信部は、前記携帯端末から前記識別情報を受信した場合に、受信した前記識別情報に対応する前記入居者情報、及び、前記複数の入居者の中から受信した前記利用者情報に基づいて特定された特定入居者を示す情報を前記携帯端末に送信し、
前記表示部は、前記入居者情報のうち前記特定入居者に関する情報を強調表示する、
ことを特徴とする、請求項１に記載のビル用ビーコンシステム。
【請求項６】
前記複数のビーコン発信機は、少なくとも１つのビル内において複数の位置に設置され、
前記携帯端末は、
前記携帯端末を識別する端末ＩＤを記憶する端末側記憶部、
をさらに備え、
前記端末側送信部は、前記ビーコン発信機から前記識別情報を受信したときに、前記端末ＩＤをさらに前記サーバへ送信し、
前記サーバ側記憶部は、前記ビーコン発信機が発信する各識別情報と、各識別情報を発する前記ビーコン発信機の設置位置を示す設置位置情報を関連付けて記憶し、且つ、前記端末ＩＤ毎に区別された前記識別情報の受信履歴情報を記憶し、
前記サーバ側送信部は、前記携帯端末から前記識別情報及び前記端末ＩＤを受信した場合に、前記設置位置情報、及び、受信した端末ＩＤに対応する前記受信履歴情報に基づいて、当該ビル内における前記設置位置の中から特定された特定設置位置を示す情報を前記携帯端末に送信し、
前記表示部は、前記ビル情報のうち、前記特定設置位置に関する情報を強調表示する、
ことを特徴とする、請求項１に記載のビル用ビーコンシステム。
【請求項７】
前記サーバ側記憶部は、前記入場検出可能位置に設置された前記ビーコン発信機に対応する前記識別情報と、退ビル時情報とを関連付けて記憶し、
前記サーバ側送信部は、前記入場検出可能位置に設置された前記ビーコン発信機に対応する前記識別情報を受信した場合であって、前記携帯端末からの前記識別情報の受信履歴が所定の条件を満たした場合に、前記退ビル時情報を前記携帯端末に送信する、
ことを特徴とする請求項６に記載のビル用ビーコンシステム。
【手続補正２】
【補正対象書類名】明細書
【補正対象項目名】００１１
【補正方法】変更
【補正の内容】
【００１１】
本発明は、ビルの利用者が携帯する携帯端末と、複数のビルに設置され固有の識別情報を所定範囲内に発信する複数のビーコン発信機と、サーバと、を含むビル用ビーコンシステムであって、前記携帯端末は、前記ビーコン発信機からの前記識別情報を受信する端末側受信部と、前記ビーコン発信機から前記識別情報を受信したときに、当該識別情報を前記サーバへ送信する端末側送信部と、表示部と、を備え、前記複数のビーコン発信機の少なくとも一部は、各ビルにおいて、ビルに入った前記利用者が携帯する前記携帯端末が前記識別情報を受信可能となる位置である入場検出可能位置に設置され、前記サーバは、前記複数のビーコン発信機が発信する各識別情報と、前記各識別情報を発信する前記ビーコン発信機が設置されたビルに関する情報であるビル情報とを関連付けて記憶するサーバ側記憶部であって、前記入場検出可能位置に設置されたビーコン発信機が発信する識別情報と、前記ビル情報としての当該ビルに入居している複数の入居者に関する入居者情報とを関連付けて記憶するサーバ側記憶部と、前記携帯端末から前記識別情報を受信した場合に、受信した前記識別情報に対応する前記ビル情報を前記携帯端末に送信するサーバ側送信部であって、前記入場検出可能位置に設置されたビーコン発信機が発信する識別情報を前記携帯端末から受信した場合に、前記ビル情報としての前記入居者情報を前記携帯端末に送信するサーバ側送信部と、を備え、前記表示部は、前記サーバから受信した前記ビル情報を表示する、ことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
望ましくは、前記入居者情報は、各入居者が入居する階を示す情報を含む、ことを特徴とする。
【手続補正５】
【補正対象書類名】明細書
【補正対象項目名】００１５
【補正方法】変更
【補正の内容】
【００１５】
また、本発明は、ビルの利用者が携帯する携帯端末と、複数のビルに設置され固有の識別情報を所定範囲内に発信する複数のビーコン発信機と、サーバと、を含むビル用ビーコンシステムであって、前記携帯端末は、前記ビーコン発信機からの前記識別情報を受信する端末側受信部と、前記ビーコン発信機から前記識別情報を受信したときに、当該識別情報を前記サーバへ送信する端末側送信部と、表示部と、を備え、前記サーバは、前記複数のビーコン発信機が発信する各識別情報と、前記各識別情報を発信する前記ビーコン発信機が設置されたビルに関する情報であるビル情報と、前記各識別情報を発信する前記ビーコン発信機が設置されたビルの種別を示すビル種別情報と、を関連付けて記憶するサーバ側記憶部と、前記携帯端末から前記識別情報を受信した場合に、受信した前記識別情報に対応する前記ビル情報及び前記ビル種別情報を前記携帯端末に送信するサーバ側送信部と、を備え、前記表示部は、前記サーバから受信した前記ビル種別情報に応じた表示態様において、前記サーバから受信した前記ビル情報を表示する、ことを特徴とする。
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ビルの利用者が携帯する携帯端末と、複数のビルに設置され固有の識別情報を所定範囲内に発信する複数のビーコン発信機と、サーバと、を含むビル用ビーコンシステムであって、
前記携帯端末は、
前記ビーコン発信機からの前記識別情報を受信する端末側受信部と、
前記利用者に関する利用者情報を記憶する端末側記憶部と、
前記ビーコン発信機から前記識別情報を受信したときに、当該識別情報を前記サーバへ送信する端末側送信部であって、さらに、前記利用者情報を前記サーバへ送信する端末側送信部と、
表示部と、
を備え、
前記複数のビーコン発信機の少なくとも一部は、各ビルにおいて、ビルに入った前記利用者が携帯する前記携帯端末が前記識別情報を受信可能となる位置である入場検出可能位置に設置され、
前記サーバは、
前記複数のビーコン発信機が発信する各識別情報と、前記各識別情報を発信する前記ビーコン発信機が設置されたビルに関する情報であるビル情報とを関連付けて記憶するサーバ側記憶部であって、前記入場検出可能位置に設置されたビーコン発信機が発信する識別情報と、前記ビル情報としての当該ビルに入居している複数の入居者に関する入居者情報とを関連付けて記憶するサーバ側記憶部と、
前記携帯端末から前記識別情報を受信した場合に、受信した前記識別情報に対応する前記ビル情報を前記携帯端末に送信するサーバ側送信部であって、前記入場検出可能位置に設置されたビーコン発信機が発信する識別情報を前記携帯端末から受信した場合に、前記ビル情報としての前記入居者情報、及び、前記複数の入居者の中から受信した前記利用者情報に基づいて特定された特定入居者を示す情報を前記携帯端末に送信するサーバ側送信部と、
を備え、
前記表示部は、前記サーバから受信した前記ビル情報を表示し、前記入居者情報のうち前記特定入居者に関する情報を強調表示する、
ことを特徴とするビル用ビーコンシステム。
【請求項２】
前記複数のビーコン発信機の少なくとも一部は、各ビルにおいて、ビルの入口階のエレベーターホール近傍に設置される、
ことを特徴とする、請求項１に記載のビル用ビーコンシステム。
【請求項３】
前記入居者情報は、各入居者が入居する階を示す情報を含む、
ことを特徴とする、請求項１に記載のビル用ビーコンシステム。
【請求項４】
ビルの利用者が携帯する携帯端末と、複数のビルに設置され固有の識別情報を所定範囲内に発信する複数のビーコン発信機と、サーバと、を含むビル用ビーコンシステムであって、
前記携帯端末は、
前記ビーコン発信機からの前記識別情報を受信する端末側受信部と、
前記ビーコン発信機から前記識別情報を受信したときに、当該識別情報を前記サーバへ送信する端末側送信部と、
表示部と、
を備え、
前記サーバは、
前記複数のビーコン発信機が発信する各識別情報と、前記各識別情報を発信する前記ビーコン発信機が設置されたビルに関する情報であるビル情報と、前記各識別情報を発信する前記ビーコン発信機が設置されたビルの種別を示すビル種別情報と、を関連付けて記憶するサーバ側記憶部と、
前記携帯端末から前記識別情報を受信した場合に、受信した前記識別情報に対応する前記ビル情報及び前記ビル種別情報を前記携帯端末に送信するサーバ側送信部と、
を備え、
前記表示部は、前記サーバから受信した前記ビル種別情報に応じた表示態様において、前記サーバから受信した前記ビル情報を表示する、
ことを特徴とするビル用ビーコンシステム。
【請求項５】
前記複数のビーコン発信機は、少なくとも１つのビル内において複数の位置に設置され、
前記携帯端末は、
前記携帯端末を識別する端末ＩＤを記憶する端末側記憶部、
をさらに備え、
前記端末側送信部は、前記ビーコン発信機から前記識別情報を受信したときに、前記端末ＩＤをさらに前記サーバへ送信し、
前記サーバ側記憶部は、前記ビーコン発信機が発信する各識別情報と、各識別情報を発する前記ビーコン発信機の設置位置を示す設置位置情報を関連付けて記憶し、且つ、前記端末ＩＤ毎に区別された前記識別情報の受信履歴情報を記憶し、
前記サーバ側送信部は、前記携帯端末から前記識別情報及び前記端末ＩＤを受信した場合に、前記設置位置情報、及び、受信した端末ＩＤに対応する前記受信履歴情報に基づいて、当該ビル内における前記設置位置の中から特定された特定設置位置を示す情報を前記携帯端末に送信し、
前記表示部は、前記ビル情報のうち、前記特定設置位置に関する情報を強調表示する、
ことを特徴とする、請求項１に記載のビル用ビーコンシステム。
【請求項６】
前記サーバ側記憶部は、前記入場検出可能位置に設置された前記ビーコン発信機に対応する前記識別情報と、退ビル時情報とを関連付けて記憶し、
前記サーバ側送信部は、前記入場検出可能位置に設置された前記ビーコン発信機に対応する前記識別情報を受信した場合であって、前記携帯端末からの前記識別情報の受信履歴が所定の条件を満たした場合に、前記退ビル時情報を前記携帯端末に送信する、
ことを特徴とする請求項５に記載のビル用ビーコンシステム。
【手続補正２】
【補正対象書類名】明細書
【補正対象項目名】００１１
【補正方法】変更
【補正の内容】
【００１１】
本発明は、ビルの利用者が携帯する携帯端末と、複数のビルに設置され固有の識別情報を所定範囲内に発信する複数のビーコン発信機と、サーバと、を含むビル用ビーコンシステムであって、前記携帯端末は、前記ビーコン発信機からの前記識別情報を受信する端末側受信部と、前記利用者に関する利用者情報を記憶する端末側記憶部と、前記ビーコン発信機から前記識別情報を受信したときに、当該識別情報を前記サーバへ送信する端末側送信部であって、さらに、前記利用者情報を前記サーバへ送信する端末側送信部と、表示部と、を備え、前記複数のビーコン発信機の少なくとも一部は、各ビルにおいて、ビルに入った前記利用者が携帯する前記携帯端末が前記識別情報を受信可能となる位置である入場検出可能位置に設置され、前記サーバは、前記複数のビーコン発信機が発信する各識別情報と、前記各識別情報を発信する前記ビーコン発信機が設置されたビルに関する情報であるビル情報とを関連付けて記憶するサーバ側記憶部であって、前記入場検出可能位置に設置されたビーコン発信機が発信する識別情報と、前記ビル情報としての当該ビルに入居している複数の入居者に関する入居者情報とを関連付けて記憶するサーバ側記憶部と、前記携帯端末から前記識別情報を受信した場合に、受信した前記識別情報に対応する前記ビル情報を前記携帯端末に送信するサーバ側送信部であって、前記入場検出可能位置に設置されたビーコン発信機が発信する識別情報を前記携帯端末から受信した場合に、前記ビル情報としての前記入居者情報、及び、前記複数の入居者の中から受信した前記利用者情報に基づいて特定された特定入居者を示す情報を前記携帯端末に送信するサーバ側送信部と、を備え、前記表示部は、前記サーバから受信した前記ビル情報を表示し、前記入居者情報のうち前記特定入居者に関する情報を強調表示する、ことを特徴とする。
【手続補正３】
【補正対象書類名】明細書
【補正対象項目名】００１６
【補正方法】削除
【補正の内容】
【国際調査報告】
2018029831.tif 000014
2018029831.tif 000015
2018029831.tif 000016
2018029831.tif 000017